(57)【特許請求の範囲】
【請求項１】
原稿を積載する積載部と、
前記積載部に積載された前記原稿に第１波長領域の光を照射し、当該原稿からの反射光を受光することで、当該原稿に形成される第１画像を読み取る第１読み取り手段と、
前記積載部に積載された前記原稿に前記第１波長領域とは異なる第２波長領域の光を照射し、当該原稿からの反射光を受光することで、当該原稿に形成される第２画像を読み取る第２読み取り手段と、
前記積載部に対する前記原稿の積載を検知する検知手段と、
前記積載部に積載された前記原稿から前記第２画像を読み取るための指示を受け付ける受付手段と、
前記検知手段によって前記積載部に対する前記原稿の積載が検知された後、前記受付手段にて前記指示を受け付けるまでの間に、前記第１読み取り手段による前記第１画像の読み取りを実行させる実行手段と、
前記実行手段により実行された前記第１画像の読み取り結果に基づいて、前記第２読み取り手段により前記第２画像の読み取りを実行させるか否かを判断する判断手段と
を含む画像読み取り装置。
【請求項２】
前記第１読み取り手段は、前記第１波長領域として赤外領域の光を照射することで、前記第１画像として不可視画像を読み取り、
前記第２読み取り手段は、前記第２波長領域として可視領域の光を照射することで、前記第２画像として可視画像を読み取ること
を特徴とする請求項１記載の画像読み取り装置。
【請求項３】
前記第１読み取り手段にて読み取られた前記不可視画像に含まれる識別情報を取得する取得手段をさらに含み、
前記判断手段は、前記取得手段にて取得された前記識別情報に基づいて判断を行うことを特徴とする請求項２記載の画像読み取り装置。
【請求項４】
前記積載部に積載される前記原稿に対し前記第１読み取り手段および前記第２読み取り手段を移動させる移動手段をさらに含み、
前記移動手段は、前記第１読み取り手段により前記原稿から前記第１画像を読み取る場合と、前記第２読み取り手段により当該原稿から前記第２画像を読み取る場合とで、当該原稿に対する移動方向を反転させることを特徴とする請求項１記載の画像読み取り装置。
【請求項５】
前記積載部に対して開閉可能に設けられ、当該積載部に積載された前記原稿を当該積載部との間に挟む開閉部材をさらに含み、
前記検知手段は、前記積載部に対する前記開閉部材の閉動作を、当該積載部に対する前記原稿の積載として検知することを特徴とする請求項１記載の画像読み取り装置。
【請求項６】
読み取り対象となる原稿の積載を検知するステップと、
前記原稿の積載を検知した後、当該原稿に対する読み取り指示を受け付けるまでの間に、当該原稿に赤外光を照射し、当該原稿からの反射光を受光することで、当該原稿に形成される不可視画像を読み取るステップと、
前記不可視画像の読み取り結果から、当該不可視画像に含まれる識別情報を取得するステップと、
取得された前記識別情報に基づき、前記原稿に形成される可視画像の読み取りが許可されているか否かを判断するステップと、
前記判断するステップにおいて前記可視画像の読み取りが許可されていると判断した場合に、前記原稿に可視光を照射し、当該原稿からの反射光を受光することで、当該原稿に形成される可視画像を読み取るステップと
を含む画像読み取り方法。
【請求項７】
前記判断するステップにおいて前記可視画像の読み取りが許可されていないと判断した場合に、当該可視画像の読み取りを禁止するステップと
をさらに含むことを特徴とする請求項６記載の画像読み取り方法。
【請求項８】
前記不可視画像を読み取るステップと、前記可視画像を読み取るステップとで、積載された前記原稿に対する読み取り方向を反転させることを特徴とする請求項６記載の画像読み取り方法。
【発明の詳細な説明】
【技術分野】
【０００１】
本発明は、原稿の画像を読み取る画像読み取り装置および画像読み取り方法に関する。
【背景技術】
【０００２】
複写機やファクシミリ等の読み取り装置、コンピュータ入力用のスキャナ等として、原稿の画像情報を自動的に読み取る画像読み取り装置が用いられている。この種の画像読み取り装置では、光源を用いて原稿に光を照射し、原稿から反射する反射光をイメージセンサにて受光することで、原稿の画像を読み取っている。
また、最近では、セキュリティー意識の高まりや電子化の流れを受けて、紙幣や有価証券等の特殊原稿を一般の原稿と区別化するために、特殊原稿上に例えば赤外線を吸収あるいは反射する画形材(インク、トナー等)を用いて、目視ではわかりにくい不可視画像を形成しておく技術が採用され始めている。また、上記特殊原稿以外でも、例えば機密情報等を可視像にて形成する原稿に、さらに上記画形材を用いてＩＤ等のコード情報を埋め込んだ不可視画像を形成しておく技術も検討されている。
【０００３】
このため、画像読み取り装置においても、可視画像の読み取りに加えて赤外画像の読み取りが要請されている。このような要請に対し、原稿からの反射光を可視画像読み取り用のセンサに導く光路中に、可視光を透過し且つ赤外光を反射する赤外光反射ミラーを設けるとともに、この赤外光反射ミラーからの反射光(赤外光)を受光する赤外画像読み取り用センサを設ける技術が提案されている(例えば特許文献１参照)。特許文献１記載の画像読み取り装置では、ハロゲンランプにより照射され原稿から反射した可視光および赤外光を、赤外光反射ミラーを用いて分離し、可視光は可視画像読み取り用のセンサにて、また、赤外光は赤外画像読み取り用のセンサにて、それぞれ受光する。
【０００４】
【特許文献１】特開平７−２３１７６号公報(第５頁、図１)
【発明の開示】
【発明が解決しようとする課題】
【０００５】
しかしながら、上記特許文献１記載の手法では、原稿上の可視画像と不可視画像(赤外吸収インク等で形成された赤外画像)とを同時に読み取っている。したがって、得られた赤外画像データに基づいてこの原稿が複写禁止物であるか否かが判別されるまでの間は可視画像の読み取りも行われることになり、画像読み取り装置内に可視画像データが取り込まれてしまう。
【０００６】
かかる問題に対し、上記特許文献１では、赤外画像データの解析結果からこの原稿が複写禁止物であることが判別された場合に、これまでに取得した可視画像データの出力を禁止する措置を講じている。
しかしながら、このような措置を講じたとしても、ある程度は可視画像データの取り込みが行われてしまうため、例えば取り込まれた可視画像データの吸い出し等が実行された場合に可視画像データの流出を抑制できなくなるおそれがあった。
【０００７】
本発明は、かかる技術的課題を解決するためになされたものであって、その目的とするところは、機密書類等の原稿のセキュリティ性を確保することにある。
【課題を解決するための手段】
【０００８】
かかる目的のもと、本発明が適用される画像読み取り装置は、第１読み取り手段を用いて、原稿に第１波長領域の光を照射し、原稿からの反射光を受光することで、原稿に形成される第１画像を読み取り、第２読み取り手段を用いて、原稿に第１の波長領域とは異なる第２波長領域の光を照射し、原稿からの反射光を受光することで、原稿に形成される第２画像を読み取る。ここで、本発明の画像読み取り装置では、第１読み取り手段により実行された第１画像の読み取り結果に基づいて、第２読み取り手段により第２画像の読み取りを実行させるか否かを判断する。
【０００９】
このような画像読み取り装置において、第１読み取り手段は、第１波長領域として赤外領域の光を照射することで、第１画像として不可視画像を読み取り、第２読み取り手段は、第２波長領域として可視領域の光を照射することで、第２画像として可視画像を読み取ることができる。この場合に、第１読み取り手段にて読み取られた不可視画像に含まれる識別情報を取得する取得手段をさらに含み、判断手段は、取得手段にて取得された識別情報に基づいて判断を行うことを特徴とすることができる。また、第１読み取り手段および第２読み取り手段に対し原稿を相対的に移動させる移動手段をさらに含むことができる。
【００１０】
また、他の観点から捉えると、本発明が適用される画像読み取り方法は、原稿に赤外光を照射し、原稿からの反射光を受光することで、原稿に形成される不可視画像を読み取るステップと、不可視画像の読み取り結果から、不可視画像に含まれる識別情報を取得するステップと、ステップにて識別情報を取得した後に、原稿に形成される可視画像を読み取るステップとを含んでいる。
【００１１】
ここで、識別情報を取得するステップと可視画像を読み取るステップとの間において、取得された識別情報に基づき、原稿に形成される可視画像の読み取りが許可されているか否かを判断するステップとをさらに含むことができる。そして、判断するステップにおいて可視画像の読み取りが許可されていると判断した場合に、可視画像を読み取るステップでは、原稿に可視光を照射し、原稿からの反射光を受光することで、原稿に形成される可視画像を読み取ることができる。また、判断するステップにおいて可視画像の読み取りが許可されていないと判断した場合に、可視画像の読み取りを禁止するステップとをさらに含むことができる。
【発明の効果】
【００１２】
本発明によれば、機密書類等の原稿のセキュリティ性を確保することができる。
【発明を実施するための最良の形態】
【００１３】
以下、添付図面を参照して、本発明を実施するための最良の形態(以下、実施の形態という)について詳細に説明する。
図１は、本実施の形態が適用される画像読み取り装置の構成例を示す図である。この画像読み取り装置では、固定された原稿の画像を読み取ることが可能であるとともに、搬送される原稿の画像を読み取ることも可能となっている。そして、この画像読み取り装置は、積載された原稿束から原稿を順次搬送する原稿送り装置１０と、スキャンによって画像を読み込む読み取り装置５０とを備えている。また、原稿送り装置１０の内部には、ＣＩＳ(Contact Image Sensor)ユニット６０が設けられている。
【００１４】
原稿送り装置１０は、複数枚の原稿からなる原稿束を積載する原稿トレイ１１、この原稿トレイ１１の下方に設けられ、読み取りが終了した原稿を積載する排紙トレイ１２を備える。また、原稿送り装置１０は原稿トレイ１１の原稿を取り出して搬送するナジャーロール１３を備える。さらに、ナジャーロール１３の原稿搬送方向下流側には、フィードロールおよびリタードロールによって用紙を一枚ずつに捌く捌き機構１４が設けられる。原稿が搬送される第１搬送路３１には、原稿搬送方向上流側から順に、プレレジロール１５、レジロール１６、プラテンロール１７、およびアウトロール１８が設けられる。プレレジロール１５は、一枚ずつに捌かれた原稿を下流側のロールに向けて搬送すると共に原稿のループ形成を行う。レジロール１６は、回転し一旦停止した後にタイミングを合わせて回転を再開し、後述する原稿読み取り部に対してレジストレーション調整を施しながら原稿を供給する。プラテンロール１７は、読み取り装置５０にて読み込み中の原稿搬送をアシストする。アウトロール１８は、読み取り装置５０にて読み込まれた原稿をさらに下流に搬送する。また、アウトロール１８よりも原稿搬送方向下流側には、原稿を排紙トレイ１２に導くための第２搬送路３２が設けられる。この第２搬送路３２には、排出ロール１９が配設される。
【００１５】
さらに、この画像読み取り装置では、原稿の両面に形成された画像を１プロセスで読み取ることができるよう、アウトロール１８の出口側とプレレジロール１５の入口側との間に第３搬送路３３が設けられている。なお、上述した排出ロール１９は、原稿を第３搬送路３３に反転搬送する機能も有している。
さらにまた、この画像読み取り装置には、原稿の両面読み取りを行った際に、その排出時に原稿を再度反転させて排紙トレイ１２に排出するための第４搬送路３４が設けられている。この第４搬送路３４は、第２搬送路３２の上部側に設けられている。そして、上述した排出ロール１９は、原稿を第４搬送路３４に反転搬送する機能も有している。
【００１６】
一方、読み取り装置５０は、上述した原稿送り装置１０を開閉可能に支持すると共に、この原稿送り装置１０を装置フレーム５１によって支え、また、原稿送り装置１０によって搬送される原稿の画像読み取りを行っている。この読み取り装置５０は、筐体を形成する装置フレーム５１、画像を読み込むべき原稿を静止させた状態で載置する第１プラテンガラス５２Ａ、原稿送り装置１０によって搬送される原稿を読み取るための光の開口部を有する第２プラテンガラス５２Ｂを備えている。
【００１７】
また、読み取り装置５０は、第２プラテンガラス５２Ｂの下に静止し、あるいは第１プラテンガラス５２Ａの全体にわたってスキャンして画像を読み込むフルレートキャリッジ５３、フルレートキャリッジ５３から得られた光を結像部へ供給するハーフレートキャリッジ５４を備えている。フルレートキャリッジ５３には、原稿に光を照射する第１ＬＥＤ(Light Emitting Diode)光源５５および原稿から得られた反射光を受光する第１ミラー５７Ａが設けられている。さらに、ハーフレートキャリッジ５４には、第１ミラー５７Ａから得られた光を結像部へ提供する第２ミラー５７Ｂおよび第３ミラー５７Ｃが設けられている。さらにまた、読み取り装置５０は、結像用レンズ５８および第１イメージセンサ５９を備えている。これらのうち、結像用レンズ５８は、第３ミラー５７Ｃから得られた光学像を光学的に縮小する。また、第１イメージセンサ５９は、結像用レンズ５８によって結像された光学像を光電変換する。つまり、読み取り装置５０では、所謂縮小光学系を用いて第１イメージセンサ５９に像を結像させている。
また、第１プラテンガラス５２Ａと第２プラテンガラス５２Ｂとの間には、後述する原稿送り装置１０において搬送される原稿を案内するガイド５６Ａが形成されており、このガイド５６Ａの下部には、主走査方向に沿って伸びる白基準板５６が装着されている。
【００１８】
そして、読み取り装置５０は、制御・画像処理ユニット７０をさらに備える。制御・画像処理ユニット７０は、第１イメージセンサ５９およびＣＩＳユニット６０に設けられる第２イメージセンサ６５(後述する図２参照)から入力される原稿の画像データに、所定の処理を施す。また、制御・画像処理ユニット７０は、画像読み取り装置(原稿送り装置１０、読み取り装置５０、およびＣＩＳユニット６０)の読み取り動作における各部の動作を制御する。
【００１９】
図２は、ＣＩＳユニット６０の構成を説明するための図である。ＣＩＳユニット６０は、図１に示したように、原稿送り装置１０のプラテンロール１７とアウトロール１８との間であって、読み取り装置５０に設けられたガイド５６Ａと対向する位置に配設される。ＣＩＳユニット６０は、読み取り装置５０によって読み取られる原稿面とは反対側(裏側)の原稿面を読み取るように装着される。
このＣＩＳユニット６０は、ハウジング６１、ガラス６２、第２ＬＥＤ光源６３、ロッドレンズアレイ６４、および第２イメージセンサ６５を備える。これらのうち、ガラス６２は、ハウジング６１の第１搬送路３１側に形成された開口に装着される。また、第２ＬＥＤ光源６３は、ガラス６２を介して原稿に光を照射する。ロッドレンズアレイ６４は、第２ＬＥＤ光源６３による照射光の反射光を集光する。第２イメージセンサ６５は、ロッドレンズアレイ６４により集光された光を受光する。そして、第２イメージセンサ６５は、実寸幅(例えばＡ４長手幅２９７ｍｍ)の画像を読み取ることが可能である。つまり、ＣＩＳユニット６０では、縮小光学系を用いずにロッドレンズアレイ６４および第２イメージセンサ６５を用いた密着光学系にて画像の取り込みを行う。したがって、構造をシンプルにすることができ、且つ、筐体を小型化し、消費電力を低減することができる。
【００２０】
では、画像読み取り装置を構成する各部の詳細について説明する。
図３(ａ)は、読み取り装置５０に設けられる第１ＬＥＤ光源５５の構成の一例を示す図である。第１ＬＥＤ光源５５は、図１に示したように、第１ミラー５７Ａの両側から原稿に光を照射する。そして、第１ＬＥＤ光源５５は、中央部に開口を有する矩形状の基部９１と、複数の白色ＬＥＤ９２と、複数の赤外ＬＥＤ９３とを備えている。これら白色ＬＥＤ９２および赤外ＬＥＤ９３は、長手方向すなわち原稿の主走査方向に沿って交互に配置されている。そして、後述するように、白色ＬＥＤ９２は赤色(Ｒ)、緑色(Ｇ)、および青色(Ｂ)を含む白色光を発光する。また、赤外ＬＥＤ９３は赤外(ＩＲ)を含む赤外光を発光する。
【００２１】
また、図３(ｂ)は、ＣＩＳユニット６０に設けられる第２ＬＥＤ光源６３の構成の一例を示す図である。第２ＬＥＤ光源６３は、図２に示したように、ロッドレンズアレイ６４の両側から原稿に光を照射する。そして、第２ＬＥＤ光源６３は、中央部に開口を有する矩形状の基部９５と、複数の白色ＬＥＤ９６とを備えている。すなわち、第２ＬＥＤ光源６３は、第１ＬＥＤ光源５５とは異なり赤外ＬＥＤを有していない。また、白色ＬＥＤ９６は、読み取り装置５０に設けられる白色ＬＥＤ９２と同じ発光特性を有しており、赤色(Ｒ)、緑色(Ｇ)、および青色(Ｂ)を含む白色光を発光する。
【００２２】
図４は、白色ＬＥＤ９２(白色ＬＥＤ９６)および赤外ＬＥＤ９３の波長−発光特性を示す図である。白色ＬＥＤ９２(白色ＬＥＤ９６)は、青色領域の発光波長(例えば４０５ｎｍ)を有する青紫色発光ダイオードおよび赤、緑、および青の蛍光体材料を含んで構成されており、青色領域(４００ｎｍ近傍)から緑色領域(５５０ｎｍ近傍)を挟んで赤色領域(８００ｎｍ近傍)まで連続する波長の光を出力する。ただし、白色ＬＥＤ９２(白色ＬＥＤ９６)は、図に示すように近赤外領域(８００ｎｍ〜１０００ｎｍ)ではほとんど発光しない。一方、赤外ＬＥＤ９３は、赤外領域の発光波長(中心波長８５０ｎｍ)を有する赤外発光ダイオードにて構成されている。ただし、赤外ＬＥＤ９３は、図に示すように可視領域(４００ｎｍ〜８００ｎｍ)ではほとんど発光しない。したがって、本実施の形態では、白色ＬＥＤ９２が第１波長領域として可視領域の光を出力し、また、赤外ＬＥＤ９３が第２波長領域として赤外領域の光を出力していることになる。
【００２３】
なお、本実施の形態では、上述した構成の白色ＬＥＤ９２(白色ＬＥＤ９６)を用いているが、これに限られるものではない。図４には、青色ＬＥＤ、緑色ＬＥＤ、および赤色ＬＥＤを組み合わせて製造された白色ＬＥＤ９２(白色ＬＥＤ９６)の発光特性も示している。このように青色ＬＥＤ、緑色ＬＥＤ、および赤色ＬＥＤの三つを組み合わせることで白色光を生成することも可能である。そして、このようにして白色光を得た場合にも、近赤外領域での発光スペクトルは存在しない。
【００２４】
図５(ａ)は、読み取り装置５０に設けられる第１イメージセンサ５９の概略構成を示す図である。この第１イメージセンサ５９は、矩形状のセンサ基板５９ａと、このセンサ基板５９ａ上に取り付けられる四本のラインセンサ５９Ｂ、５９Ｇ、５９Ｒ、５９Ｉとを有している。なお、以下の説明では、これら四本のラインセンサ５９Ｂ、５９Ｇ、５９Ｒ、５９Ｉを、それぞれ第１青センサ５９Ｂ、第１緑センサ５９Ｇ、第１赤センサ５９Ｒ、赤外センサ５９Ｉと呼ぶ。第１青センサ５９Ｂ、第１緑センサ５９Ｇ、第１赤センサ５９Ｒ、および赤外センサ５９Ｉは、例えばＣＣＤ(Charge Coupled Device)イメージセンサ等で構成されている。また、第１青センサ５９Ｂ、第１緑センサ５９Ｇ、第１赤センサ５９Ｒ、および赤外センサ５９Ｉは、それぞれが、原稿の搬送方向と直交する方向(主走査方向)に向かって伸び、且つ、原稿の搬送方向(副走査方向)に並列に配置されている。第１青センサ５９Ｂ、第１緑センサ５９Ｇ、第１赤センサ５９Ｒ、および赤外センサ５９Ｉは、それぞれ、フォトトランジスタＰＴを直線上(主走査方向)にｍ個並べて構成される。そして、第１青センサ５９Ｂと第１緑センサ５９Ｇとの間隔、第１緑センサ５９Ｇと第１赤センサ５９Ｒとの間隔、および第１赤センサ５９Ｒと赤外センサ５９Ｉは、それぞれ、副走査方向２ライン分となっている。
【００２５】
ここで、第１青センサ５９Ｂ、第１緑センサ５９Ｇ、第１赤センサ５９Ｒ、および赤外センサ５９Ｉには、それぞれに異なる波長成分を透過するためのカラーフィルタが装着されている。その結果、第１青センサ５９Ｂ、第１緑センサ５９Ｇ、第１赤センサ５９Ｒ、および赤外センサ５９Ｉは、それぞれ、青(Blue)用のラインセンサ、緑(Green)用のラインセンサ、赤(Red)用のラインセンサ、および赤外(InfraRed:IR)用のラインセンサとして機能する。
【００２６】
図５(ｂ)は、ＣＩＳユニット６０に設けられる第２イメージセンサ６５の概略構成を示す図である。この第２イメージセンサ６５は、矩形状のセンサ基板６５ａと、このセンサ基板６５ａ上に取り付けられる三本のラインセンサ６５Ｂ、６５Ｇ、６５Ｒとを有している。なお、以下の説明では、これら三本のラインセンサ６５Ｂ、６５Ｇ、６５Ｒを、それぞれ第２青センサ６５Ｂ、第２緑センサ６５Ｇ、第２赤センサ６５Ｒと呼ぶ。第２青センサ６５Ｂ、第２緑センサ６５Ｇ、および第２赤センサ５９Ｒは、例えばＣＣＤ(Charge Coupled Device)イメージセンサ等で構成されている。また、第２青センサ６５Ｂ、第２緑センサ６５Ｇ、および第２赤センサ５９Ｒは、それぞれが、原稿の搬送方向と直交する方向(主走査方向)に向かって伸び、且つ、原稿の搬送方向(副走査方向)に並列に配置されている。第２青センサ６５Ｂ、第２緑センサ６５Ｇ、および第２赤センサ６５Ｒは、それぞれ、フォトトランジスタＰＴを直線上(主走査方向)にｎ個並べて構成される。そして、第２青センサ６５Ｂと第２緑センサ６５Ｇとの間隔、および第２緑センサ６５Ｇと第２赤センサ６５Ｒとの間隔は、それぞれ、副走査方向２ライン分となっている。
【００２７】
図６は、図１に示す制御・画像処理ユニット７０のブロック図である。この制御・画像処理ユニット７０は、信号処理部７１および制御部７２を備えている。ここで、信号処理部７１は、第１イメージセンサ５９(具体的には第１青センサ５９Ｂ、第１緑センサ５９Ｇ、第１赤センサ５９Ｒ、赤外センサ５９Ｉ)から入力されてくる画像データに処理を施す。また、信号処理部７１は、第２イメージセンサ６５(具体的には第２青センサ６５Ｂ、第２緑センサ６５Ｇ、第２赤センサ６５Ｒ)から入力されてくる画像データに処理を施す。他方、制御部７２は、原稿送り装置１０、読み取り装置５０、およびＣＩＳユニット６０の動作を制御する。
【００２８】
信号処理部７１は、第１前処理部１００、赤外後処理部２００、および第１後処理部３００を備える。また、信号処理部７１は、第２前処理部４００および第２後処理部５００を更に備える。
第１前処理部１００は、第１イメージセンサ５９の第１青センサ５９Ｂ、第１緑センサ５９Ｇ、第１赤センサ５９Ｒ、および赤外センサ５９Ｉから入力されてくる各画像データ(アナログデータ)をデジタルデータに変換する。また、第１前処理部１００からは、デジタルデータに変換された不可視画像用の画像データが赤外後処理部２００に出力され、可視画像用の画像データが第１後処理部３００に出力される。
赤外後処理部２００は、入力されてくる不可視画像用の画像データに対して画像解析を行い、不可視画像に含まれる識別情報を取り出して出力する。
第１後処理部３００は、入力されてくる可視画像用の画像データに対して所定の画像処理を施し、画像情報として出力する。
第２前処理部４００は、第２イメージセンサ６５の第２青センサ６５Ｂ、第２緑センサ６５Ｇ、および第２赤センサ６５Ｒから入力されてくる各画像データ(アナログデータ)をデジタルデータに変換する。また、第２前処理部４００は、画像データ(こちらの場合はすべて可視画像用のデータ)を第２後処理部５００に出力する。
第２後処理部５００は、入力されてくる可視画像用の画像データに対して所定の画像処理を施し、画像情報として出力する。
【００２９】
一方、制御部７２は、読み取りコントローラ８１、イメージセンサドライバ８２、ＬＥＤドライバ８３、スキャンドライバ８４、および搬送機構ドライバ８５を備える。
判断手段あるいは取得手段として機能する読み取りコントローラ８１は、各種原稿読み取りの制御等を含め、図１に示す原稿送り装置１０、読み取り装置５０、およびＣＩＳユニット６０の全体を制御する。
イメージセンサドライバ８２は、第１イメージセンサ５９(第１青センサ５９Ｂ、第１緑センサ５９Ｇ、第１赤センサ５９Ｒ、赤外センサ５９Ｉ：図５(ａ)参照)による画像データの取り込み動作を制御する。また、イメージセンサドライバ８２は、第２イメージセンサ６５(第２青センサ６５Ｂ、第２緑センサ６５Ｇ、第２赤センサ６５Ｒ：図５(ｂ)参照)による画像データの取り込み動作を制御する。
ＬＥＤドライバ８３は、第１ＬＥＤ光源５５に点灯切換信号を出力し、原稿の読み取りタイミングに合わせて白色ＬＥＤ９２および赤外ＬＥＤ９３(図３(ａ)参照)の点灯・消灯を制御する。また、ＬＥＤドライバ８３は、第２ＬＥＤ光源６３に点灯信号を出力し、原稿の読み取りタイミングに合わせて白色ＬＥＤ９６(図３(ｂ)参照)の点灯・消灯を制御する。
スキャンドライバ８４は、読み取り装置５０におけるモータのオン/オフなどを行いフルレートキャリッジ５３およびハーフレートキャリッジ５４によるスキャン動作を制御する。
搬送機構ドライバ８５は、原稿送り装置１０におけるモータの制御、各種ロール、クラッチ、およびゲートの切り替え動作等を制御する。
【００３０】
これらの各種ドライバからは、原稿送り装置１０、読み取り装置５０、およびＣＩＳユニット６０に対して制御信号が出力され、かかる制御信号に基づいて、これらの動作制御が可能となる。読み取りコントローラ８１は、ホストシステムからの制御信号や、例えば自動選択読み取り機能に際して検出されるセンサ出力、ＵＩ(User Interface)等を介したユーザからの選択等に基づいて読み取りモードを設定し、原稿送り装置１０、読み取り装置５０、およびＣＩＳユニット６０を制御している。この読み取りモードとしては、例えば第１プラテンガラス５２Ａ上に載置された原稿を読み取る固定読み取りモード、原稿送り装置１０によって第２プラテンガラス５２Ｂ上を搬送される原稿を読み取る搬送読み取りモード等が挙げられる。また、搬送読み取りモードにおいては、原稿の片面の画像を読み取る片面モード、原稿の両面の画像を読み取る両面モード等もある。
【００３１】
また、制御部７２は、認証部８６および送受信部８７を更に備える。
認証部８６は、例えばＩＣカードからなる認証カード９０を受け付け、受け付けた認証カード９０に記録される個人認証データ等を取得する。
また、送受信部８７は、認証部８６にて取得された個人認証データと赤外後処理部２００にて取得された識別情報とを関連付けた確認情報を外部のサーバに送信する。なお、この確認情報は、読み取りコントローラ８１が生成を行う。そして、送受信部８７は、確認情報に基づいて外部のサーバから返送された複製権情報を受信し、読み取りコントローラ８１に受け渡す。
【００３２】
図７は、図６に示す第１前処理部１００、赤外後処理部２００、および第１後処理部３００の構成を示すブロック図である。
第１前処理部１００は、第１アナログ処理部１１０および第１Ａ/Ｄ変換部１２０を備える。なお、第１アナログ処理部１１０には、第１イメージセンサ５９を構成する第１青センサ５９Ｂからの第１青検知データＢＡ０、第１緑センサ５９Ｇからの第１緑検知データＧＡ０、第１赤センサ５９Ｒからの第１赤検知データＲＡ０、および第１赤外センサ５９Ｉからの赤外検知データＩ０が、それぞれ独立して入力される。なお、第１イメージセンサ５９から入力されてくる第１青検知データＢＡ０、第１緑検知データＧＡ０、第１赤検知データＲＡ０、および赤外検知データＩ０は、アナログのデータである。
第１アナログ処理部１１０は、第１青検知データＢＡ０、第１緑検知データＧＡ０、第１赤検知データＲＡ０、および赤外検知データＩ０それぞれに対してオフセットゲイン調整等のアナログ補正を施す。
第１Ａ/Ｄ変換部１２０は、アナログ補正が施された第１青検知データＢＡ０、第１緑検知データＧＡ０、第１赤検知データＲＡ０、および赤外検知データＩ０をデジタルデータに変換する。
【００３３】
赤外後処理部２００は、赤外シェーディング補正部２１０および識別情報解析部２２０を備える。なお、赤外後処理部２００には、デジタルデータに変換された赤外検知データＩ０が入力される。
赤外シェーディング補正部２１０は、入力されてくる赤外検知データＩ０に対し、赤外シェーディングデータを用いて赤外シェーディング補正を施す。本実施の形態では、読み取り動作の開始前に、赤外ＬＥＤ９３を点灯させた状態で、赤外センサ５９Ｉによる白基準板５６Ｂの読み取りが行われる。そして、この読み取り結果に基づいて赤外シェーディングデータが事前に取得されている。
赤外シェーディング補正では、入力されてくる赤外検知データＩ０に対し、対応する赤外センサ５９ＩにおけるフォトトランジスタＰＴの感度のばらつきや第一ＬＥＤ光源５５(この場合は赤外ＬＥＤ９３)の光量分布特性に応じた補正を施す。
【００３４】
識別情報解析部２２０は、入力されてくる赤外データＩＲに含まれるコード画像から識別情報を解析する。そして、識別情報解析部２２０は、コード画像の解析結果として得られた識別情報を、読み取りコントローラ８１(図６参照)に出力する。
【００３５】
一方、第１後処理部３００は、第１可視シェーディング補正部３１０、第１遅延処理部３２０、および第１画像処理部３３０を備える。
第１可視シェーディング補正部３１０は、入力されてくる第１青検知データＢＡ０、第１緑検知データＧＡ０、および第１赤検知データＲＡ０に対し、それぞれ第１可視シェーディングデータを用いて可視シェーディング補正を施す。本実施の形態では、読み取り動作の開始前に、白色ＬＥＤ９２を点灯させた状態で、第１青センサ５９Ｂ、第１緑センサ５９Ｇ、および第１赤センサ５９Ｒによる白基準板５６Ｂの読み取りが行われる。そして、この読み取り結果に基づいて、それぞれに対応する第１可視シェーディングデータが事前に取得されている。
第１可視シェーディング補正では、入力されてくる第１青検知データＢＡ０、第１緑検知データＧＡ０、および第１赤検知データＲＡ０に対し、対応する第１青センサ５９Ｂ、第１緑センサ５９Ｇ、および第１赤センサ５９ＲにおけるフォトトランジスタＰＴの感度のばらつきやＬＥＤ光源５５(この場合は白色ＬＥＤ９２)の光量分布特性に応じた補正を施す。
【００３６】
第１遅延処理部３２０は、第１青センサ５９Ｂ、第１緑センサ５９Ｇ、および第１赤センサ５９Ｒの取り付け位置の相違に伴うギャップを補正する。すなわち、図５(ａ)に示したように、第１青センサ５９Ｂに対し第１緑センサ５９Ｇは副走査方向に２ライン分だけずらして配置され、第１緑センサ５９Ｇに対し第１赤センサ５９Ｒは副走査方向に２ライン分だけずらして配置される。このため、本実施の形態に係る画像読み取り装置では、原稿の読み取り動作を行う際、原稿のある特定の部位(主走査方向ライン)をまず第１青センサ５９Ｂにて読み取り、次いでこの特定の部位を第１緑センサ５９Ｇにて読み取り、最後にこの特定の部位を第１赤センサ５９Ｒにて読み取る。これを逆に見れば、同じタイミングでは第１青センサ５９Ｂ、第１緑センサ５９Ｇ、および第１赤センサ５９Ｒが、それぞれ副走査方向に２ライン分ずつずれた部位の画像を読み取っていることになる。そこで、第１遅延処理部３２０では、これらのうちで最後に読み取りが行われる第１赤センサ５９Ｒによる第１赤検知データＲＡ０を基準とし、第１緑センサ５９Ｇによる第１緑検知データＧＡ０を第１赤検知データＲＡ０に対し副走査方向に２ライン分だけ遅延させ、また、第１青センサ５９Ｂによる第１青検知データＢＡ０を第１赤検知データＲＡ０に対し副走査方向に４ライン分だけ(第１緑検知データＧＡ０に対しては副走査方向に２ライン分だけ)遅延させている。これにより、第１遅延処理部３２０からは、原稿の同一部位(同一の主走査方向ライン)を読み取って得られた第１青検知データＢＡ０、第１緑検知データＧＡ０、および第１赤検知データＲＡ０が、同期して出力されることになる。
【００３７】
第１画像処理部３３０は、入力されてくる第１青検知データＢＡ０、第１緑検知データＧＡ０、および第１赤検知データＲＡ０に対して各種画像処理を施し、画像情報として第１青画像データＢＡ、第１緑画像データＧＡ、および第１赤画像データＲＡを出力する。この画像処理部３３０で施される処理としては、例えばγ/グレイバランス補正、色空間変換、拡大縮小、フィルタリング処理、コントラスト調整、さらには地肌除去等が挙げられる。
【００３８】
図８は、図６に示す第２前処理部４００および第２後処理部５００の構成を示すブロック図である。
第２前処理部４００は、第２アナログ処理部４１０および第２Ａ/Ｄ変換部４２０を備える。なお、第２アナログ処理部４１０には、第２イメージセンサ６５を構成する第２青センサ６５Ｂからの第２青検知データＢＢ０、第２緑センサ６５Ｇからの第２緑検知データＧＢ０、および第２赤センサ６５Ｒからの第２赤検知データＲＢ０が、それぞれ独立して入力される。なお、第２イメージセンサ６５から入力されてくる第２青検知データＢＢ０、第２緑検知データＧＢ０、および第２赤検知データＲＢ０は、アナログのデータである。
第２アナログ処理部４１０は、第２青検知データＢＢ０、第２緑検知データＧＢ０、および第２赤検知データＲＢ０それぞれに対してオフセットゲイン調整等のアナログ補正を施す。
第２Ａ/Ｄ変換部４２０は、アナログ補正が施された第２青検知データＢＢ０、第２緑検知データＧＢ０、および第２赤検知データＲＢ０をデジタルデータに変換する。
【００３９】
一方、第２後処理部５００は、第２可視シェーディング補正部５１０、第２遅延処理部５２０、および第２画像処理部５３０を備える。
第２可視シェーディング補正部５１０は、入力されてくる第２青検知データＢＢ０、第２緑検知データＧＢ０、および第２赤検知データＲＢ０に対し、それぞれ第２可視シェーディングデータを用いて可視シェーディング補正を施す。本実施の形態では、ＣＩＳユニット６０に対向配置されるガイド５６Ａの上面に図示しない白基準テープが貼付されている。そして、読み取り動作の開始前に、白色ＬＥＤ９６を点灯させた状態で、第２青センサ６５Ｂ、第２緑センサ６５Ｇ、および第２赤センサ６５Ｒによる白基準テープ(図示せず)の読み取りが行われる。そして、この読み取り結果に基づいて、それぞれに対応する第２可視シェーディングデータが事前に取得されている。
第２可視シェーディング補正では、入力されてくる第２青検知データＢＢ０、第２緑検知データＧＢ０、および第２赤検知データＲＢ０に対し、対応する第２青センサ６５Ｂ、第２緑センサ６５Ｇ、および第２赤センサ６５ＲにおけるフォトトランジスタＰＴの感度のばらつきやＬＥＤ光源６３(この場合は白色ＬＥＤ９６)の光量分布特性に応じた補正を施す。
【００４０】
第２遅延処理部５２０は、第２青センサ６５Ｂ、第２緑センサ６５Ｇ、および第２赤センサ６５Ｒの取り付け位置の相違に伴うギャップを補正する。すなわち、図５(ｂ)に示したように、第１青センサ５９Ｂに対し第１緑センサ５９Ｇは副走査方向に２ライン分だけずらして配置され、第１緑センサ５９Ｇに対し第１赤センサ５９Ｒは副走査方向に２ライン分だけずらして配置される。したがって、第２遅延処理部５２０では、第１遅延処理部３２０と同様に、これらのうちで最後に読み取りが行われる第２赤センサ６５Ｒによる第２赤検知データＲＢ０を基準とし、第２緑センサ６５Ｇによる第２緑検知データＧＢ０を第２赤検知データＲＢ０に対し副走査方向に２ライン分だけ遅延させ、また、第２青センサ６５Ｂによる第２青検知データＢＢ０を第２赤検知データＲＢ０に対し副走査方向に４ライン分だけ(第２緑検知データＧＢ０に対しては副走査方向に２ライン分だけ)遅延させている。これにより、第２遅延処理部５２０からは、原稿の同一部位(同一の主走査方向ライン)を読み取って得られた第２青検知データＢＢ０、第２緑検知データＧＢ０、および第２赤検知データＲＢ０が、同期して出力されることになる。
【００４１】
第２画像処理部５３０は、入力されてくる第２青検知データＢＢ０、第２緑検知データＧＢ０、および第２赤検知データＲＢ０に対して各種画像処理を施し、画像情報として第２青画像データＢＢ、第２緑画像データＧＢ、および第２赤画像データＲＢを出力する。この第２画像処理部５３０で施される処理としては、上記第１画像処理部３３０と同様に、例えばγ/グレイバランス補正、色空間変換、拡大縮小、フィルタリング処理、コントラスト調整、さらには地肌除去等が挙げられる。
【００４２】
次に、この画像読み取り装置で読み取られる原稿の画像について詳細に説明する。この画像読み取り装置では、例えばイエロー、マゼンタ、シアン、および黒等の通常色にて形成された一般的な可視画像のみを有する原稿に加え、可視画像および上述した識別情報を含むコード画像にて形成された不可視画像を有する原稿も読み取ることができる。ここで、「可視」および「不可視」は、目視により認識できるかどうかとは関係しない。すなわち媒体(用紙)に印刷(形成)された画像が、可視光領域における特定の波長の吸収に起因する発色性の有無により認識できるかどうかで、「可視」と「不可視」とを区別しているのである。
【００４３】
図９(ａ)〜(ｃ)は、不可視画像を構成する二次元コード画像を説明するための図である。図９(ａ)は、不可視画像によって形成され、配置される二次元コード画像の単位を模式的に示すために格子状に表現した図である。また、図９(ｂ)は二次元コード画像の一単位を示した図である。さらに、図９(ｃ)は、バックスラッシュ「＼」とスラッシュ「／」の斜線パターンを説明するための図である。
【００４４】
これら図９(ａ)〜(ｃ)に示す二次元コード画像は、赤外線照射による機械読み取りと復号化処理とが長期にわたって安定して可能で、且つ、情報が高密度に記録できる不可視画像で形成される。また、画像を出力する媒体表面の可視画像が形成された領域とは関係なく、任意の領域に設けることが可能な不可視画像であることが好ましい。本実施の形態では、印刷される媒体の大きさに合わせて媒体一面(紙面)の全面に不可視画像が形成される。また、目視した際に光沢差によって認識できる不可視画像であることが更に好ましい。ただし、「全面」とは、用紙の四隅をすべて含む意味ではない。レーザプリンタ等の電子写真方式の装置では、通常、紙面の端部は印刷できない部位である場合が多いことから、かかる部位には不可視画像を印刷する必要はない。なお、本実施の形態では、この二次元コード画像が、近赤外領域である８５０ｎｍ近傍の波長に吸収のピークを有する材料にて構成されているものとする。
【００４５】
図９(ｂ)に示す二次元コードパターンは、媒体上の座標位置を示す位置コードが格納される領域と、電子文書または印刷媒体を一意に特定するための識別コードが格納される領域とを含んでいる。また、同期コードが格納される領域も含んでいる。そして、図９(ａ)に示すように、この二次元コードパターンが複数、配置され、印刷される媒体の大きさに合わせて媒体一面(紙面)の全面に異なる位置情報が格納された二次元コードが格子状に配置される。すなわち、媒体一面に、図９(ｂ)に示すような二次元コードパターンが複数個、配置され、その各々が、位置コード、識別コード、および同期コードを備えている。そして、複数の位置コードの領域には、それぞれ配置される場所により異なる位置情報が格納されている。一方、複数の識別コードの領域には、配置される場所によらず同じ識別情報が格納されている。
【００４６】
図９(ｂ)において、位置コードは、６ビット×６ビットの矩形領域内に配置されている。各ビット値は、回転角度が異なる複数の微小ラインビットマップで形成され、図９(ｃ)に示す斜線パターン(パターン０およびパターン１)で、ビット値０とビット値１とを表現している。より具体的には、相互に異なる傾きを有するバックスラッシュ「＼」およびスラッシュ「／」を用いて、ビット値０とビット値１とを表現している。斜線パターンは６００ｄｐｉ(dot per inch)において８画素×８画素の大きさで構成されており、左上がりの斜線パターン(パターン０)がビット値０を、右上がりの斜線パターン(パターン１)がビット値１を表現する。したがって、一つの斜線パターンで１ビット(０または１)を表現できる。このような二種類の傾きからなる微小ラインビットマップを用いることで、可視画像に与えるノイズがきわめて小さく、且つ、大量の情報を高密度にデジタル化して埋め込むことが可能な二次元コードパターンを提供することが可能となる。
【００４７】
すなわち、図９(ｂ)に示した位置コード領域には合計３６ビットの位置情報が格納されている。この３６ビットのうち、１８ビットをＸ座標の符号化に、他の１８ビットをＹ座標の符号化に使用することができる。各１８ビットをすべて位置の符号化に使用すると、２18通り(約２６万通り)の位置を符号化できる。各斜線パターンが図９(ｃ)に示したように８画素×８画素(６００ｄｐｉ)で構成されている場合、６００ｄｐｉの１ドットは０.０４２３ｍｍであることから、図９(ｂ)に示す二次元コード(同期コードを含む)の大きさは、縦横ともに３ｍｍ程度(８画素×９ビット×０.０４２３ｍｍ)となる。３ｍｍ間隔で２６万通りの位置を符号化した場合、約７８６ｍの長さを符号化できる。このように１８ビットすべてを位置の符号化に使用してもよいし、あるいは、斜線パターンの検出誤りが発生するような場合には誤り検出や誤り訂正のための冗長ビットを含めてもよい。
【００４８】
また、識別コードは、２ビット×８ビットおよび６ビット×２ビットの矩形領域に配置されており、合計２８ビットの識別情報を格納できる。識別情報として２８ビットすべてを使用した場合、２28通り(約２億７千万通り)の識別情報を表現できる。識別コードも位置コードと同様に、２８ビットの中に誤り検出や誤り訂正のための冗長ビットを含めることができる。
【００４９】
なお、図９(ｃ)に示す例では、二つの斜線パターンは互いに角度が９０°異なるが、例えば角度差を４５°とすれば四種類の斜線パターンを構成できる。このように構成した場合は、一つの斜線パターンで２ビットの情報(０〜３)を表現できる。すなわち、斜線パターンの角度種類を増やすことで、表現できるビット数を増加させることができる。
また、図９(ｃ)に示す例では、斜線パターンを使用してビット値の符号化を説明しているが、選択できるパターンは斜線パターンに限られない。例えばドットのＯＮ/ＯＦＦや、ドットの位置を基準位置からずらす方向により符号化する方法も採用することが可能である。
【００５０】
では、本実施の形態に係る原稿読み取り装置を用いた原稿の読み取り動作について詳細に説明する。この画像読み取り装置では、上述したように、固定される原稿の画像を読み取る固定読み取りモードおよび搬送される原稿の画像を読み取る搬送読み取りモードが実行可能である。
【００５１】
(１)固定読み取りモード
まず、図１〜図９および図１０に示すフローチャートを参照しながら、固定読み取りモードについて詳細に説明する。なお、固定読み取りモードでは、赤外ＬＥＤ９３および赤外センサ５９Ｉが第１読み取り手段として機能し、また、白色ＬＥＤ９２および第１青センサ５９Ｂ、第１緑センサ５９Ｇ、および第１赤センサ５９Ｒが第２読み取り手段として機能する。また、固定読み取りモードでは、フルレートキャリッジ５３およびハーフレートキャリッジ５４が移動手段として機能する。
【００５２】
固定読み取りモードにおいては、まず、個人認証情報の取得が行われる(ステップ１０１)。具体的には、認証部８６が、ユーザより受け付けた認証カード９０から個人認証情報を取得する。そして、認証部８６は、取得した個人認証情報を読み取りコントローラ８１に出力する。
次に、第１プラテンガラス５２Ａに対する原稿のセットが検知される(ステップ１０２)。具体的には、例えば固定読み取りモードにおいて原稿をセットする際に行われる原稿送り装置１０の開閉動作をセンサによって検知する。この検知結果は、読み取りコントローラ８１に出力される。
【００５３】
すると、読み取りコントローラ８１は、画像読み取り装置を構成する各部に制御信号を出力して、赤外プリスキャンを実行させる(ステップ１０３)。赤外プリスキャンは、例えば次のようにして行われる。
第１プラテンガラス５２Ａに対する原稿のセットが検知されたのを受けて、読み取りコントローラ８１は、スキャンドライバ８４に制御信号を出力する。スキャンドライバ８４は、かかる制御信号を受けて、フルレートキャリッジ５３およびハーフレートキャリッジ５４を、図１に実線で示すホームポジションから図１に二点鎖線で示す右端のポジションまで移動させる。次に、読み取りコントローラ８１は、ＬＥＤドライバ８３に制御信号を出力する。ＬＥＤドライバ８３は、かかる制御信号を受けて、第１ＬＥＤ光源５５の赤外ＬＥＤ９３を点灯させる。このとき、白色ＬＥＤ９２は消灯したままである。そして、読み取りコントローラ８１は、イメージセンサドライバ８２およびスキャンドライバ８４に制御信号を出力する。スキャンドライバ８４は、かかる制御信号を受けて、フルレートキャリッジ５３およびハーフレートキャリッジ５４を、図１において左方向に一定速度で移動させる。このとき、フルレートキャリッジ５３とハーフレートキャリッジ５４とが、２：１の割合でスキャン方向(この場合は矢印方向と逆の方向)に移動する。他方、イメージセンサドライバ８２は、かかる制御信号を受けて、第１イメージセンサ５９の赤外センサ５９Ｉによる受光データの取り込みを開始させる。なお、スキャンドライバ８４は、第１プラテンガラス５２Ａ上の原稿全面の読み取りが完了するポジションで、フルレートキャリッジ５３およびハーフレートキャリッジ５４を停止させる。また、フルレートキャリッジ５３およびハーフレートキャリッジ５４が停止されるのに伴い、読み取りコントローラ８１は、ＬＥＤドライバ８３に制御信号を出力して赤外ＬＥＤ９３を消灯させ、また、イメージセンサドライバ８２に制御信号を出力して赤外センサ５９Ｉによる受光データの取り込みを終了させる。
【００５４】
この間、第１プラテンガラス５２Ａ上に載置された原稿の下面に対し、赤外ＬＥＤ９３からの赤外光が順次照射され、原稿からの反射光が、第１ミラー５７Ａ、第２ミラー５７Ｂ、および第３ミラー５７Ｃの順に反射されて結像用レンズ５８に導かれる。結像用レンズ５８に導かれた光は、赤外センサ５９Ｉの受光面に結像される。赤外センサ５９Ｉは１次元のセンサであり、１ライン分を同時に処理している。そして、このライン方向と直交する方向(スキャンの副走査方向)にフルレートキャリッジ５３およびハーフレートキャリッジ５４を移動させ、原稿の次のラインを読み取る。これを原稿全体に亘って実行することで、１ページの原稿読み取りが完了する。また、赤外センサ５９Ｉによって得られた１ライン毎の赤外検知データＩ０が、制御・画像処理ユニット７０の信号処理部７１に順次出力される。
【００５５】
次に、このようにして得られた赤外検知データＩ０に対する処理および赤外検知データＩ０に処理を施して得られた赤外データＩＲに対する解析が行われる(ステップ１０４)。
これを具体的に説明すると、信号処理部７１の第１前処理部１００に入力された赤外検知データＩ０は、第１アナログ処理部１１０によるオフセットゲイン調整や第１Ａ/Ｄ変換部１２０によるＡ/Ｄ変換を経て、赤外後処理部２００に出力される。赤外後処理部２００に入力された赤外検知データＩ０は、赤外シェーディング補正部２１０により赤外シェーディング補正がなされ、赤外データＩＲとして識別情報解析部２２０に出力される。そして、識別情報解析部２２０では、入力される赤外データＩＲを用いて識別情報の解析を実行する。なお、識別情報解析部２２０における解析処理の詳細は後述する。
【００５６】
そして、読み取りコントローラ８１は、赤外データＩＲ中に識別情報があったか否か、すなわち、識別情報解析部２２０から識別情報の入力があったか否かを判断する(ステップ１０５)。ここで、識別情報がなかったと判断した場合は、後述するステップ１１０に進む。一方、識別情報があったと判断した場合、読み取りコントローラ８１は、この識別情報を取得し(ステップ１０６)、取得した識別情報と上記ステップ１０１で取得した個人認証情報とを対応付けた確認情報を作成する。そして、読み取りコントローラ８１は、この確認情報を、送受信部８７を介して出力する(ステップ１０７)。なお、送受信部８７を介して出力される確認情報は、外部のサーバに出力される。ここで、外部のサーバは、識別情報および個人認証情報に後述する複製権情報を対応付けて格納したデータベース(ＤＢ)を備えている。そして外部のサーバでは、確認情報に含まれる識別情報を有する原稿に対し、確認情報に含まれる個人認証情報を有するユーザが、複製物を取得する権利すなわち複製権を有しているか否かを判断し、その判断結果を複製権情報(「複製権あり」、または、「複製権なし」)として返送する。そして、読み取りコントローラ８１は、外部のサーバから返送された複製権情報を、送受信部８７を介して取得する(ステップ１０８)。
【００５７】
次に、読み取りコントローラ８１は、取得した複製権情報が「複製権あり」であったか否かを判断する(ステップ１０９)。ここで、複製権情報が「複製権あり」であった場合、および、上記ステップ１０５において識別情報がなかった場合、読み取りコントローラ８１は、ＵＩやホストシステム等に制御信号を出力し、ＵＩやホストシステムのディスプレイ上に「スキャンできます」のメッセージを表示させる(ステップ１１０)。その後、読み取りコントローラ８１は、ＵＩやホストシステム等からスキャンの開始指示があったか否かを判断する(ステップ１１１)。ここで、スキャンの開始指示がない場合は、ステップ１１１に戻ってスキャンの開始指示を待つ。
【００５８】
一方、スキャンの開始指示があった場合、読み取りコントローラ８１は、画像読み取り装置を構成する各部に制御信号を出力して、可視メインスキャンを実行させる(ステップ１１２)。なお、可視メインスキャンが開始される時点において、フルレートキャリッジ５３およびハーフレートキャリッジ５４は、上記ステップ１０３における赤外プリスキャン終了後の位置、すなわち、図１に示す第１プラテンガラス５２Ａの左下側で停止している。この可視メインスキャンは、例えば次のようにして行われる。
【００５９】
読み取りコントローラ８１は、まず、ＬＥＤドライバ８３に制御信号を出力する。ＬＥＤドライバ８３は、かかる制御信号を受けて、第１ＬＥＤ光源５５の白色ＬＥＤ９２を点灯させる。このとき、赤外ＬＥＤ９３は消灯したままである。そして、読み取りコントローラ８１は、イメージセンサドライバ８２およびスキャンドライバ８４に制御信号を出力する。スキャンドライバ８４は、かかる制御信号を受けて、フルレートキャリッジ５３およびハーフレートキャリッジ５４を、図１において右方向に一定速度で移動させる。このとき、フルレートキャリッジ５３とハーフレートキャリッジ５４とが、２：１の割合でスキャン方向(この場合は矢印方向)に移動する。他方、イメージセンサドライバ８２は、かかる制御信号を受けて、第１イメージセンサ５９の第１青センサ５９Ｂ、第１緑センサ５９Ｇ、および第１赤センサ５９Ｒによる受光データの取り込みを開始させる。なお、スキャンドライバ８４は、第１プラテンガラス５２Ａ上の原稿全面の読み取りが完了するポジション(例えば最大サイズの原稿の場合には図１に二点鎖線で示す右端のポジション)で、フルレートキャリッジ５３およびハーフレートキャリッジ５４を停止させる。また、フルレートキャリッジ５３およびハーフレートキャリッジ５４が停止されるのに伴い、読み取りコントローラ８１は、ＬＥＤドライバ８３に制御信号を出力して白色ＬＥＤ９２を消灯させ、また、イメージセンサドライバ８２に制御信号を出力して第１青センサ５９Ｂ、第１緑センサ５９Ｇ、および第１赤センサ５９Ｒによる受光データの取り込みを終了させる。
【００６０】
この間、第１プラテンガラス５２Ａ上に載置された原稿の下面に対し、順次、白色ＬＥＤ９２からの白色光が照射され、原稿からの反射光が、第１ミラー５７Ａ等を介して第１イメージセンサ５９の第１青センサ５９Ｂ、第１緑センサ５９Ｇ、および第１赤センサ５９Ｒによって受光される。そして、これら第１青センサ５９Ｂ、第１緑センサ５９Ｇ、および第１赤センサ５９Ｒによって得られた原稿１ライン毎の第１青検知データＢＡ０、第１緑検知データＧＡ０、および第１赤検知データＲＡ０が、制御・画像処理ユニット７０の信号処理部７１に順次出力される。
【００６１】
信号処理部７１の第１前処理部１００に入力された第１青検知データＢＡ０、第１緑検知データＧＡ０、および第１赤検知データＲＡ０は、第１アナログ処理部１１０によるオフセットゲイン調整や第１Ａ/Ｄ変換部１２０によるＡ/Ｄ変換を経て、第１後処理部３００に出力される。第１後処理部３００に入力された第１青検知データＢＡ０、第１緑検知データＧＡ０、および第１赤検知データＲＡ０は、第１可視シェーディング補正部３１０により可視シェーディング補正がなされ、次いで第１遅延処理部３２０で遅延補正がなされる。そして、遅延補正がなされた第１青検知データＢＡ０、第１緑検知データＧＡ０、および第１赤検知データＲＡ０は、第１画像処理部３３０にて画像処理がなされることにより、第１青画像データＢＡ、第１緑画像データＧＡ、および第１赤画像データＲＡとして出力される。
【００６２】
その後、読み取りコントローラ８１は、第１青画像データＢＡ、第１緑画像データＧＡ、および第１赤画像データＲＡの出力が行われたことを受けて、このスキャン動作に対応するスキャン履歴情報を作成する。そして、読み取りコントローラ８１は、作成したスキャン履歴情報を、送受信部８７を介して出力し(ステップ１１３)、一連の処理を終了する。なお、作成されるスキャン履歴情報には、例えば上記ステップ１０１にて取得した個人認証情報、上記ステップ１０６で取得した識別情報、スキャンを行った日時、あるいはスキャンを行った画像読み取り装置の固有ＩＤ等を含めることができる。出力されたスキャン履歴情報は、上述した外部のサーバあるいは他のサーバに送信され、サーバに設けられたデータベースに格納される。ただし、上記ステップ１０５において識別情報なしと判断されていた場合には、このステップ１１３を省略することができる。
【００６３】
一方、上記ステップ１０９において、複製権情報が「複製権なし」であった場合、読み取りコントローラ８１は、ＵＩやホストシステム等に制御信号を出力し、ＵＩやホストシステムのディスプレイ上に「スキャンできません」のメッセージを表示させる(ステップ１１４)。また、読み取りコントローラ８１は、画像読み取り装置を構成する各部に制御信号を出力するのを中止するとともに、ＵＩやホストシステム等からのスキャン開始指示の受付を禁止し(ステップ１１５)、一連の処理を終了する。
【００６４】
図１１は、上述したステップ１０４において識別情報解析部２２０で実行される処理の流れを示すフローチャートである。
赤外シェーディング補正部２１０より赤外データＩＲが入力されてくると(ステップ２０１)、識別情報解析部２２０では、まず、入力された赤外データＩＲを整形する(ステップ２０２)。この赤外データＩＲの整形は、例えば傾き補正やノイズ除去等を含んでいる。そして、識別情報解析部２２０は、整形された赤外データＩＲからスラッシュ「／」やバックスラッシュ「＼」等のビットパターン(斜線パターン)を検出する(ステップ２０３)。次に、識別情報解析部２２０は、赤外データＩＲ中にビットパターンがあるか否かを判断する(ステップ２０４)。
【００６５】
ここで、赤外データＩＲ中にビットパターンがないと判断した場合は、そのまま処理を終了する。一方、赤外データＩＲ中にビットパターンがあると判断した場合、識別情報解析部２２０は、整形された赤外データＩＲから二次元コード位置決め用のコードである同期コードを検出する(ステップ２０５)。そして、識別情報解析部２２０では、この同期コード位置を参照して二次元コードを検出し(ステップ２０６)、また、二次元コードからＥＣＣ(Error Correcting Code：誤り訂正符号)等の情報を取り出して復号する(ステップ２０７)。そして、識別情報解析部２２０は、復号した情報を元のコード情報に復元する(ステップ２０８)。
次に、識別情報解析部２２０は、以上のようにして復元したコード情報から識別情報を取得し(ステップ２０９)、取得した識別情報を読み取りコントローラ８１(図６参照)に出力し(ステップ２１０)、一連の処理を終了する。
【００６６】
(２)搬送読み取りモード
次に、図１〜図９および図１２に示すフローチャートを参照しながら、搬送読み取りモードについて詳細に説明する。なお、この説明では、片面にのみ画像が形成された原稿を片面モードで読み取るものとする。また、原稿は、画像形成面を上にして原稿トレイ１１にセットされているものとする。さらに、搬送読み取りモードでは、赤外ＬＥＤ９３および赤外センサ５９Ｉが第１読み取り手段として機能し、また、白色ＬＥＤ９６および第２青センサ６５Ｂ、第２緑センサ６５Ｇ、および第２赤センサ６５Ｒが第２読み取り手段として機能する。また、搬送読み取りモードでは、原稿送り装置１０が移動手段として機能する。
【００６７】
搬送読み取りモードにおいても、まず個人認証情報の取得が行われ(ステップ３０１)、認証部８６が認証カード９０を読み取って得た個人認証情報を、読み取りコントローラ８１に出力する。
次に、原稿トレイ１１に対する原稿(あるいは原稿束)のセットが検知される(ステップ３０２)。具体的には、例えば原稿トレイ１１上の原稿の有無をセンサによって検知する。この検知結果は、読み取りコントローラ８１に出力される。
そして、読み取りコントローラ８１は、ＵＩやホストシステムからスキャンの開始指示があったか否かを判断する(ステップ３０３)。ここで、スキャンの開始指示がない場合は、ステップ３０３に戻ってスキャンの開始指示を待つ。
【００６８】
一方、スキャンの開始指示があった場合、読み取りコントローラ８１は、画像読み取り装置を構成する各部に制御信号を出力して、まず、赤外プリスキャンを実行させる(ステップ３０４)。なお、赤外プリスキャンの開始時において、フルレートキャリッジ５３およびハーフレートキャリッジ５４は、図１に実線で示すホームポジションに置かれている。赤外プリスキャンは、例えば次のようにして行われる。
【００６９】
スキャンの開始指示があったのを受けて、読み取りコントローラ８１は、搬送機構ドライバ８５に制御信号を出力する。かかる制御信号を受けて、搬送機構ドライバ８５は、原稿トレイ１１上の原稿束を上から一枚ずつ取り出して搬送させる。具体的には、原稿トレイ１１上の原稿束から最上位の原稿がナジャーロール１３によって第１搬送路３１内に引き込まれ、捌き機構１４によって一枚ずつに捌かれた後、プレレジロール１５を介してレジロール１６の位置まで搬送される。このとき、レジロール１６は回転を停止しており、原稿は、その先端部分がレジロール１６のニップ部に当接した状態でループを形成する。これにより、原稿の姿勢が修正される。そして、所定のタイミングでレジロール１６の駆動を開始させることにより、原稿は、その姿勢が修正された状態で、第２プラテンガラス５２Ｂ上に到達する。
【００７０】
次に、読み取りコントローラ８１は、搬送される原稿の先端が第１イメージセンサ５９による第２プラテンガラス５２Ｂ上の読み取り位置に到達するタイミングに合わせて、イメージセンサドライバ８２およびＬＥＤドライバ８３に制御信号を出力する。ＬＥＤドライバ８３では、かかる制御信号を受けて、第１ＬＥＤ光源５５の赤外ＬＥＤ９３を点灯させる。このとき、白色ＬＥＤ９２は消灯したままである。他方、イメージセンサドライバ８２は、かかる制御信号を受けて、第１イメージセンサ５９の赤外センサ５９Ｉによる受光データの取り込みを開始させる。なお、読み取りコントローラ８１は、搬送される原稿全面の読み取りが完了するタイミングで、ＬＥＤドライバ８３に制御信号を出力して赤外ＬＥＤ９３を消灯させ、また、イメージセンサドライバ８２に制御信号を出力して赤外センサ５９Ｉによる受光データの取り込みを終了させる。
【００７１】
この間、第２プラテンガラス５２Ｂ上を通過する原稿の下面に対し、赤外ＬＥＤ９３からの赤外光が順次照射され、原稿からの反射光が、第１ミラー５７Ａ、第２ミラー５７Ｂ、および第３ミラー５７Ｃの順に反射されて結像用レンズ５８に導かれる。結像用レンズ５８に導かれた光は、赤外センサ５９Ｉの受光面に結像される。赤外センサ５９Ｉは上述したように１次元のセンサであり、１ライン分を同時に処理している。そして、このライン方向と直交する方向(スキャンの副走査方向)に原稿を移動させ、原稿の次のラインを読み取る。これを原稿全体に亘って実行することで、１ページの原稿読み取りが完了する。また、赤外センサ５９Ｉによって得られた１ライン毎の赤外検知データＩ０が、制御・画像処理ユニット７０の信号処理部７１に順次出力される。
【００７２】
次に、このようにして得られた赤外検知データＩ０に対する処理および赤外検知データＩ０に処理を施して得られた赤外データＩＲに対する解析が行われる(ステップ３０５)。なお、このステップ３０５は、上記ステップ１０４と同じ、すなわち図１１に示したとおりであるので、説明を省略する。
そして、読み取りコントローラ８１は、識別情報があったか否か、すなわち、識別情報解析部２２０から識別情報の入力があったか否かを判断する(ステップ３０６)。ここで、識別情報がなかったと判断した場合は、後述するステップ３１１に進む。一方、識別情報があったと判断した場合、読み取りコントローラ８１は、この識別情報を取得し(ステップ３０７)、取得した識別情報と上記ステップ３０１で取得した個人認証情報とを対応付けた確認情報を作成し、この確認情報を、送受信部８７を介して出力する(ステップ３０８)。確認情報は、上述した固定読み取りモードと同様に外部のサーバに送られ、その結果として外部のサーバから複製権情報が返送されてくる。そして、読み取りコントローラ８１は、外部のサーバから返送された複製権情報を、送受信部８７を介して取得する(ステップ３０９)。
【００７３】
なお、この間、赤外プリスキャンが完了した原稿は、排紙ロール１９等によってその表裏を反転させた状態で、第３搬送路３３を介して第１搬送路３１に再度搬送される。そして、反転搬送された原稿は、その先端がレジロール１６と当接する位置でループを形成しつつ停止している。
【００７４】
次に、読み取りコントローラ８１は、取得した複製権情報が「複製権あり」であったか否かを判断する(ステップ３１０)。ここで、複製権情報が「複製権あり」であった場合、および、上記ステップ３０６において識別情報がなかった場合、読み取りコントローラ８１は、画像読み取り装置を構成する各部に制御信号を出力して、可視メインスキャンを実行させる(ステップ３１１)。この可視メインスキャンは、例えば次のようにして行われる。
【００７５】
可視メインスキャンの実行指示があったのを受けて、読み取りコントローラ８１は、搬送機構ドライバ８５に制御信号を出力する。かかる制御信号を受けて、搬送機構ドライバ８５は、レジロール１６等の駆動を開始させることにより、原稿は、姿勢が修正された状態でガイド５６Ａ上(ＣＩＳユニット６０との対向部)に到達する。
【００７６】
次に、読み取りコントローラ８１は、反転搬送される原稿の先端が第２イメージセンサ６５によるガイド５６Ａ上の読み取り位置に到達するタイミングに合わせて、イメージセンサドライバ８２およびＬＥＤドライバ８３に制御信号を出力する。ＬＥＤドライバ８３では、かかる制御信号を受けて、第２ＬＥＤ光源６３の白色ＬＥＤ９６を点灯させる。他方、イメージセンサドライバ８２は、かかる制御信号を受けて、第２イメージセンサ６５の第２青センサ６５Ｂ、第２緑センサ６５Ｇ、および第２赤センサ６５Ｒによる受光データの取り込みを開始させる。なお、読み取りコントローラ８１は、搬送される原稿全面の読み取りが完了するタイミングで、ＬＥＤドライバ８３に制御信号を出力して白色ＬＥＤ９６を消灯させ、また、イメージセンサドライバ８２に制御信号を出力して第２青センサ６５Ｂ、第２緑センサ６５Ｇ、および第２赤センサ６５Ｒによる受光データの取り込みを終了させる。
【００７７】
この間、ガイド５６Ａ上を通過する原稿の上面(上記ステップ３０４における赤外プリスキャンと同一面)に対し、白色ＬＥＤ９６からの白色光が順次照射され、原稿からの反射光が、第１ミラー５７Ａ、第２ミラー５７Ｂ、および第３ミラー５７Ｃの順に反射されて結像用レンズ５８に導かれる。結像用レンズ５８に導かれた光は、第２青センサ６５Ｂ、第２緑センサ６５Ｇ、および第２赤センサ６５Ｒそれぞれの受光面に結像される。第２青センサ６５Ｂ、第２緑センサ６５Ｇ、および第２赤センサ６５Ｒは１次元のセンサであり、１ライン分を同時に処理している。そして、このライン方向と直交する方向(スキャンの副走査方向)に原稿を移動させ、原稿の次のラインを読み取る。これを原稿全体に亘って実行することで、１ページの原稿読み取りが完了する。また、第２青センサ６５Ｂ、第２緑センサ６５Ｇ、および第２赤センサ６５Ｒによって得られた１ライン毎の第２青検知データＢＢ０、第２緑検知データＧＢ０、および第２赤検知データＲＢ０が、制御・画像処理ユニット７０の信号処理部７１に順次出力される。
【００７８】
信号処理部７１の第２前処理部４００に入力された第２青検知データＢＢ０、第２緑検知データＧＢ０、および第２赤検知データＲＢ０は、第２アナログ処理部４１０によるオフセットゲイン調整や第２Ａ/Ｄ変換部４２０によるＡ/Ｄ変換を経て、第２後処理部５００に出力される。第２後処理部５００に入力された第２青検知データＢＢ０、第２緑検知データＧＢ０、および第２赤検知データＲＢ０は、第２可視シェーディング補正部５１０により可視シェーディング補正がなされ、次いで第２遅延処理部５２０で遅延補正がなされる。そして、遅延補正がなされた第２青検知データＢＢ０、第２緑検知データＧＢ０、および第２赤検知データＲＢ０は、第２画像処理部５３０にて画像処理がなされることにより、第１青画像データＢＢ、第１緑画像データＧＢ、および第１赤画像データＲＢとして出力される。
【００７９】
その後、読み取りコントローラ８１は、第２青画像データＢＢ、第２緑画像データＧＢ、および第２赤画像データＲＢの出力が行われたことを受けて、このスキャン動作に対応するスキャン履歴情報を作成し、得られたスキャン履歴情報を、送受信部８７を介して出力する(ステップ３１２)。なお、このスキャン履歴情報には、上述した固定読み取りモードと同じ情報が含まれる。また、上記ステップ１０５と同様、ステップ３０６において識別情報なしと判断されていた場合には、このステップ３１２を省略することができる。そして、読み取りコントローラ８１は、次に読み込むべき原稿が存在するか否かを判断し(ステップ３１３)。次に読み込むべき原稿がある場合は、上記ステップ３０４に戻って同様の処理を実行する。一方、次に読み込むべき原稿がない場合、すなわち、原稿トレイ１１上の原稿がなくなった場合は、一連の処理を終了する。
【００８０】
一方、上記ステップ３１０において、複製権情報が「複製権なし」であった場合、読み取りコントローラ８１は、ＵＩやホストシステム等に制御信号を出力し、ＵＩやホストシステムのディスプレイ上に「スキャンできません」のメッセージを表示させる(ステップ３１４)。また、読み取りコントローラ８１は、搬送機構ドライバ８５に制御信号を出力する。かかる制御信号を受けて、搬送機構ドライバ８５は、レジロール１６等の駆動を開始させる。このとき、読み取りコントローラ８１は、イメージセンサドライバ８２やＬＥＤドライバ８３に対する制御信号の出力を中止しており、その結果、原稿は、可視メインスキャンが行われることなくそのまま排出され(ステップ３１５)、一連の処理を終了する。なお、ステップ３１１において、可視スキャンが完了した原稿は、排紙ロール１９等によってさらに表裏を反転させた後、今度は第４搬送路３４に搬送され、排紙トレイ１２上に排出される。このとき、原稿は原稿トレイ１１上に置かれていたときとは表裏が反転した状態で排紙トレイ１２上に排出される。このようにすることで、原稿トレイ１１上に置かれていたときと排紙トレイ１２上に排出されたときとで、複数枚の原稿の並び順を同じにすることができる。
【００８１】
また、両面モードにて原稿の両面の画像を読み取る場合は、上記ステップ３１１において原稿の一方の面の可視スキャンを行う際に、読み取り装置１０を用いてこの原稿の他の面の赤外プリスキャンを行うようにすればよい。ただし、この場合は、この原稿を更にもう一度反転搬送させて、この原稿の他の面の可視スキャンを行わせることが必要になる。
【００８２】
以上説明したように、本実施の形態では、原稿の読み取り動作を実行する際に、まず最初に赤外光を用いたスキャン(赤外プリスキャン)を行い、このスキャンによる不可視画像の読み取り結果に基づいて識別情報を取得し、得られた識別情報に基づいてこの原稿の可視光(白色光)を用いたスキャン(可視メインスキャン)を実行するか否かを判断するようにした。したがって、赤外プリスキャンの実行結果に基づいて可視メインスキャンが許可されない(禁止される)場合は、可視画像の読み取り自体が全く行われないことになり、可視画像データの吸い出し等を実質的に不可能にすることができる。これにより、可視画像のスキャンが禁止される機密書類などの重要原稿については、セキュリティ性を確保することができる。
【００８３】
また、本実施の形態では、認証カード９０より取得した個人情報と赤外プリスキャンによって取得した識別情報とを対応付けた確認情報を外部のサーバに送信し、この確認情報に基づいて外部のサーバから返信される複製権情報に基づいて、可視メインスキャンを許可するか否かを判断するようにした。これにより、例えば機密書類であっても、所定の権限を有するユーザに対しては、原稿のスキャンあるいはコピーを許可することができる。また、本実施の形態では、このような場合に、スキャン履歴情報を作成することとした。これにより、例えばいつ、どこで、誰が原稿のスキャンあるいはコピーを行ったのかを把握することが可能になり、書類の管理を行うことが容易になる。
【００８４】
さらに、本実施の形態では、読み取り装置５０側の光源として白色ＬＥＤ９２および赤外ＬＥＤ９３を用いるようにしたので、可視光あるいは赤外光を選択的に点灯させることが可能である。これにより、第１イメージセンサ５９の第１青センサ５９Ｂ、第１緑センサ５９Ｇ、第１赤センサ５９Ｒでは可視光を、また、赤外センサ５９Ｉでは赤外光を、選択的に受光させることができる。このため、例えば赤外光が第１青センサ５９Ｂ、第１緑センサ５９Ｇ、および第１赤センサ５９Ｒに入射することに伴う第１青センサ５９Ｂ、第１緑センサ５９Ｇ、および第１赤センサ５９Ｒの出力誤差を抑制することができる。一方、例えば可視光が赤外センサ５９Ｉに入射することに伴う赤外センサ５９Ｉの出力誤差も抑制することができる。
【００８５】
さらにまた、本実施の形態では、一般的な画像読み取り装置で用いられる固定読み取りモードおよび搬送読み取りモードの両者において、まず最初に赤外プリスキャンを行った後に、この赤外プリスキャンの実行結果に基づいて可視メインスキャンの実行を許可するか否かを判断するようにした。これにより、各種画像読み取り装置において、機密書類等のスキャンあるいはコピーを制限することができる。
【００８６】
ここで、固定読み取りモードにおいては、第１プラテンガラス５２Ａ上への原稿のセットが行われることを事前に検知し、ユーザによるスキャン動作(可視メインスキャン)の開始指示が行われる前に、赤外プリスキャンを完了するようにした。そして、本実施の形態では、例えば原稿送り装置１０の開閉動作に連動してフルレートキャリッジ５３およびハーフレートキャリッジ５４を移動させてから赤外プリスキャンを実行させるようにした。これにより、ユーザの待ち時間の増加を抑制することができる。また、このような手順で赤外プリスキャンを実行させることで、赤外プリスキャンを行うとともに例えば原稿のサイズ検知等も行うことが可能になる。
【００８７】
一方、両面読み取りモードでは、従来より用いられている反転パス(第３搬送路３３)を有する画像読み取り装置に、読み取り装置５０とは逆の面を読み取るＣＩＳユニット６０を取り付けることで、原稿の一度の搬送で赤外プリスキャンおよび可視メインスキャンを実行させることができる。また、この画像読み取り装置では、両面読み取りも可能である。
【００８８】
なお、本実施の形態では、近赤外領域の波長での吸収を有する材料にて不可視画像を形成していたが、可視領域以外の波長であれば、適宜設計変更することができる。ただし、この場合に、赤外センサ５９Ｉは対応する波長の光を受光するセンサに変更することが必要である。
また、本実施の形態では、読み取り装置５０を縮小光学系にて、また、ＣＩＳユニット６０を密着光学系にて構成していたが、これに限られるものではない。すなわち、両者を縮小光学系あるいは密着光学系で構成してもよいし、あるいは、逆の関係としてもよい。
【図面の簡単な説明】
【００８９】
【図１】本実施の形態が適用される画像読み取り装置の構成例を示す図である。
【図２】画像読み取り装置に設けられるＣＩＳユニット(Contact Image Sensor)の構成の一例を示す図である。
【図３】(ａ)は読み取り装置側に設けられる第１ＬＥＤ光源を、(ｂ)はＣＩＳユニット側に設けられる第２ＬＥＤ光源を、それぞれ示す図である。
【図４】白色ＬＥＤおよび赤外ＬＥＤの波長−発光特性の一例を示す図である。
【図５】(ａ)は読み取り装置側に設けられる第１イメージセンサを、(ｂ)はＣＩＳユニット側に設けられる第２イメージセンサを、それぞれ示す図である。
【図６】制御・画像処理部ユニットのブロック図である。
【図７】第１前処理部、赤外後処理部、および第１後処理部のブロック図である。
【図８】第２前処理部および第２後処理部のブロック図である。
【図９】(ａ)〜(ｃ)は不可視画像を構成する二次元コード画像を説明するための図である。
【図１０】固定読み取りモードにおける動作の流れを示すフローチャートである。
【図１１】識別情報解析部で実行される処理の流れを示すフローチャートである。
【図１２】搬送読み取りモードにおける動作の流れを示すフローチャートである。
【符号の説明】
【００９０】
１０…原稿送り装置、５０…読み取り装置、５５…第１ＬＥＤ光源、５９…第１イメージセンサ、５９Ｂ…第１青センサ、５９Ｇ…第１緑センサ、５９Ｒ…第１赤センサ、５９Ｉ…赤外センサ、６０…ＣＩＳ(Contact Image Sensor)ユニット、６３…第２ＬＥＤ光源、６５…第２イメージセンサ、６５Ｂ…第２青センサ、６５Ｇ…第２緑センサ、６５Ｒ…第２赤センサ、７０…制御・画像処理ユニット、７１…信号処理部、７２…制御部、１００…第１前処理部、２００…赤外後処理部、２２０…識別情報解析部、３００…第１後処理部、４００…第２前処理部、５００…第２後処理部
【図１】
0004645511.tif 000002
【図２】
0004645511.tif 000003
【図３】
0004645511.tif 000004
【図４】
0004645511.tif 000005
【図５】
0004645511.tif 000006
【図６】
0004645511.tif 000007
【図７】
0004645511.tif 000008
【図８】
0004645511.tif 000009
【図９】
0004645511.tif 000010
【図１０】
0004645511.tif 000011
【図１１】
0004645511.tif 000012
【図１２】
0004645511.tif 000013